(57)【要約】【課題】外装容器の中に密封されている内容物を識別するための識別ラベルを提供する。【解決手段】非Ｘ線造影材料から成る外装容器の内部に外部からは視認できない状態で収容されている内容物４の表面４ａに、内容物４を識別するために貼着される識別ラベルＡであって、基材１と、基材１の下面１ａに配置された粘着剤層２と、基材１の上面１ｂに配置された、硫酸バリウム粉末を含むインキを印刷して形成した識別層３Ａが配置されている識別ラベルＡ。【選択図】図１
2009157055.tif 000002
【特許請求の範囲】
【請求項１】
非Ｘ線造影材料から成る外装容器の内部に外部からは視認できない状態で収容されている内容物の表面に、前記内容物を識別するために貼着される識別ラベルであって、
前記内容物の表面に貼着する方の面には粘着剤層が配置され、前記粘着剤層の上方には、硫酸バリウム粉末を含むインキを印刷して形成した識別層が配置されていることを特徴とする識別ラベル。
【請求項２】
基材と、前記基材の下面に配置された前記粘着剤層と、前記基材の上面に配置された前記識別層とから成る請求項１の識別ラベル。
【請求項３】
基材と、前記基材の下面に配置された前記識別層と、前記識別層の下面に配置された前記粘着剤層と、前記基材の上面に配置され、硫酸バリウム粉末を含まないインキを印刷して形成された印刷層とから成る請求項１の識別ラベル。
【請求項４】
基材と、前記基材の下面に配置された前記粘着剤層と、前記基材の上面に形成され、硫酸バリウム粉末を含まないインキを印刷して形成された印刷層と、前記印刷層の上面に配置された透明または半透明の前記識別層とから成る請求項１の識別ラベル。
【請求項５】
前記識別層が、平均粒径０．０６μｍ以下の硫酸バリウム粉末を、前記識別層における体積割合が３０〜６０％となるように均一分散して形成される請求項４の識別ラベル。
【発明の詳細な説明】
【技術分野】
【０００１】
本発明は識別ラベルに関し、更に詳しくは、紙器パッケージや段ボール箱のような外装容器の中に密封状態で収容され、梱包されている内容物の種類、個数などを、外装容器の梱包を解くことなく識別するために用いる識別ラベルに関する。
【背景技術】
【０００２】
例えば菓子類やインスタント食品類のような食品類の出荷に際しては、一般に、これら食品類を例えば透明プラスチックスから成り商品名や製造元などが印刷されている袋（内装体）の中に封入して販売単位の内容物を製作し、そしてその内容物の複数個を例えば段ボール箱のような容器（外装容器）の中に収容したのち、容器全体を梱包している。その場合、上記した販売単位の内容物の中に、同時に、各種の景品をおまけとして封入することがある。また、容器の中には１種類の内容物だけではなく種類が異なる複数種の内容物が収容されることがある。
【０００３】
そして、例えば内容物の収容個数が不足していたり、景品が内容物に封入されていなかったり、または容器に収容されている内容物の種類が客先の要求と異なっていたりすると、出荷元と客先、ひいては消費者の間でトラブルが発生するので、出荷に際しては、内容物が客先の要求を確実に満たしているか否かの検査をして識別することが必要になる。
しかしながら、容器（外装容器）は通常段ボール箱などであるため、外部から内部を肉眼で視認することができないので、上記した検査をする場合には、容器の梱包を解くことが必要になり、そのためこれまでの出荷作業が無駄になるという問題が生ずる。したがって、既に梱包作業が終了した容器（外装容器）の内容物を、当該容器の梱包を解くことなく識別する手段が要求されている。
【０００４】
このような手段としては、例えば、医薬品の分野において、Ｘ線を用いて密封容器内に医薬品と同封されている能書の有無を検査する方法が提案されている（特許文献１を参照）。
しかしながら、例えば食品分野における上記した景品の形状は多様であり、またその材質はプラスチックス、紙、木などであり、それらのＸ線造影は明暗の差異が少なく、この分野で特許文献１の方法を採用して内容物を正確に識別することは困難である。
【特許文献１】特開平９−１５９７７０号
【発明の開示】
【発明が解決しようとする課題】
【０００５】
本発明は、容器の中に梱包され、密封状態で収容されている内容物を、当該容器の梱包を解くことなく、Ｘ線を用いて識別することを可能にする新規な識別ラベルの提供を目的とする。
【課題を解決するための手段】
【０００６】
上記した目的を達成するために、本発明においては、非Ｘ線造影材料から成る外装容器の内部に外部からは視認できない状態で収容されている内容物の表面に、前記内容物を識別するために貼着される識別ラベルであって、
前記内容物の表面に貼着する方の面には粘着剤層が配置され、前記粘着剤層の上方には、硫酸バリウム粉末を含むインキを印刷して形成した識別層が配置されていることを特徴とする識別ラベルが提供される。
【０００７】
具体的には、基材と、前記基材の下面に配置された前記粘着剤層と、前記基材の上面に配置された前記識別層とから成る識別ラベル（識別ラベルＡという）が提供され、また、基材と、前記基材の下面に配置された前記識別層と、前記識別層の下面に配置された前記粘着剤層と、前記基材の上面に配置され、硫酸バリウム粉末を含まないインキを印刷して形成された印刷層とから成る識別ラベル（識別ラベルＢという）が提供され、また、基材と、前記基材の下面に配置された前記粘着剤層と、前記基材の上面に形成され、硫酸バリウム粉末を含まないインキを印刷して形成された印刷層と、前記印刷層の上面に配置された透明または半透明の前記識別層とから成る識別ラベル（識別ラベルＣという）が提供される。
【０００８】
そして、識別ラベルＣにおいて、前記識別層が、平均粒径０．０６μｍ以下の硫酸バリウム粉末を、前記識別層における体積割合が３０〜６０％となるように均一分散して形成されていることを好適とする。
【発明の効果】
【０００９】
識別ラベルにおける識別層には、Ｘ線造影が可能な硫酸バリウムの粉末を含有するインキを用いて印刷記号が描画されているので、この識別ラベルを内容物に貼着しておけば、当該内容物を収容する外装容器にＸ線を照射することにより、その印刷記号が造影されるので内容物の有無と種別を識別することができる。
とくに、菓子類などにおまけとして添付される景品などにこの識別ラベルを貼着しておけば、外装容器の梱包を解くことなく、梱包作業の終了時点で、外装容器内の景品の有無を事前に確認することができるので、消費者とのトラブルを防止することができる。
【発明を実施するための最良の形態】
【００１０】
本発明の識別ラベルは、Ｘ線を透過する非Ｘ線造影材料からなる外装容器の中に密閉状態で収容されていて、容器の外部からは肉眼で視認することができない内容物の表面に貼着して使用される。  
外装容器としては、例えば紙器パッケージ、段ボール箱、プラスティックフィルム、アルミ蒸着フィルム、発泡スチロール材などをあげることができる。また、本発明で言う内容物としては、例えば菓子や食品などが封入され、表面には各種印刷が施されているプラスチックス、紙、布などの袋をあげることができる。更には、内容物の中に同封される景品なども本発明の識別ラベルを貼り付ける対象物である。
【００１１】
本発明の識別ラベルの１例Ａを図１に示す。
この識別ラベルＡは、基材１とその下面１ａに配置される粘着剤層２と上面１ｂに配置される識別層３で構成されていて、この粘着剤層２を、図の仮想線で示した内容物４の表面４ａに貼着して使用される。
基材１としては、Ｘ線を透過する材料であれば何であってもよいが、例えば紙、布、プラスチックフィルム、アルミ蒸着フィルム、プラスチック、木などをあげることができる。
【００１２】
また、粘着剤層２は内容物４の表面４ａに対して接着力を発揮する粘着剤を基材１の下面１ａの全面に塗布して形成されるが、このときに用いる粘着剤としては、例えば天然ゴム系粘着剤、アクリル樹脂系粘着剤などをあげることができる。
識別層３Ａは、後述するインキを基材１の上面１ｂに印刷したり、描画して形成された層であり、そのときの印刷模様または印刷記号は、内容物４の関係で適宜に決められている。
【００１３】
すなわち、識別ラベルの貼着対象が内容物ｘである場合は、例えば印刷記号Ｘとして基材の上面１ｂにインキを印刷して識別層３Ａが形成される。また、貼着対象が別の内容物ｙである場合には、印刷記号Ｙとして基材の上面にインキを印刷して識別層３Ａが形成される。このように、貼着対象の内容物の種類、大きさ、形状などに応じて異なる印刷記号を印刷して識別層３Ａが形成される。
【００１４】
この識別層３Ａの形成に用いるインキは、例えば透明樹脂から成るビヒクルに硫酸バリウム粉末を均一に分散して調製される。
硫酸バリウムは胃のＸ線造影検査に用いられているように、経口面で安全なＸ線遮断材料であり、その粉末は白色である。
したがって、この硫酸バリウムを含有するインキを用いた印刷記号として形成されている識別層３ＡにＸ線を照射すると、その印刷記号の撮像画像が得られる。
【００１５】
この印刷記号の識別時に、Ｘ線の照射時に得られる撮像画像の明暗度が大きければ大きいほど、識別能力は高くなるので好適である。
この撮像画像の明暗度は照射するＸ線の強度によっても異なってくるが、用いる硫酸バリウム粉末の粒径の大小、インキへの含有割合などによって変動する。例えば、硫酸バリウムの粒径が大きすぎたり、またインキにおける体積割合が多くなりすぎたりすると、撮像画像の識別能力は確保できるが、可視光下での透明性は確保できない。また、インキにおける硫酸バリウム粉末の体積割合が少なくなりすぎると、可視光下での透明性は確保できるが、基材や粘着剤層と識別層との輝度差が小さくなってしまうので、識別能力は低下する。
【００１６】
このようなことを勘案して、硫酸バリウム粉末としては、その平均粒径が０．３μｍ以下のものを用い、インキ全体に対して３０〜６０体積％程度含有させることが好ましい。
また、硫酸バリウムは白色であるので、インキ調製時に、適宜な色彩の着色剤を添加して、着色インキの状態にして用いてもよい。
この識別ラベルＡの識別層３Ａが印刷記号Ｘである場合、この識別ラベルＡは、内容物ｘの表面に貼着される。そして、その内容物ｘは外装容器の中に収容され密閉状態で梱包される。
【００１７】
検査時にあっては、外装容器にＸ線を照射する。内容物ｘが収容されていれば、印刷記号Ｘがそのまま撮像画像として造影される。したがって、梱包を解かなくても内容物ｘの有無が確認される。
また、外装容器の中に複数種類の内容物が収容されている場合、それぞれの内容物には所定の印刷記号からなる識別層を有する識別ラベルが貼着されていて、それぞれの印刷記号はＸ線照射によって造影されるので、内容物の種別も検査することができる。
【００１８】
図２は別の識別ラベルＢを示す。
この識別ラベルＢは、基材１の下面１ａに前記した識別層３Ａが配置され、識別層３Ａの下に粘着剤層２が配置され、そして基材１の上面１ｂに後述する印刷層５が配置された構造になっている。印刷層５は、硫酸バリウム粉末を含有しない通常の印刷インキを用いて適宜な印刷模様や印刷記号を印刷して形成されている。
【００１９】
したがって、この識別ラベルＢにあっては、内容物の識別能は識別層３Ａが担任し、印刷層５は識別能をもたず、例えば客先で外装容器の梱包を解いて内容物を取り出したときにその内容物の仕様を説明したり、商品性を高めたりする役割をする。
図３は更に別の識別ラベルＣを示す。
この識別ラベルＣは、基材１の下面１ａに粘着剤層２が配置され、基材１の上面１ｂには、図２の識別ラベルＢにおける印刷層５が形成され、そして印刷層５の上に後述する識別層３Ｂが配置された構造になっている。
【００２０】
ここで、識別層３Ｂが硫酸バリウム粉末と透明樹脂のビヒクルを主体としたインキを用いて描画した印刷記号の層であることは、識別ラベルＡ、Ｂの場合と同様であるが、用いる硫酸バリウムの粉末の粒度と分散割合を変えて、肉眼で見たときに透明または半透明にしているという点で異なっている。
すなわち、Ｘ線照射時の撮像画像の識別能力に関する前記した問題を考慮にいれ、かつ可視光下での透明性を確保するために、この識別層３Ｂの形成に用いる硫酸バリウム粉末の平均粒径は０．０６μｍ以下と微細であり、またインキに均一分散している量は３０〜６０体積％に設定されている。
【００２１】
このインキで描画された印刷記号は、Ｘ線照射時の撮像画像の明暗度は高く、かつ光透過率は８０％以上になっていて、肉眼で見たときに透明または半透明になっている。
したがって、この識別ラベルＣの場合、Ｘ線照射によって内容物の識別が可能であると同時に、透明または半透明の識別層(印刷記号)３Ｂの下に位置する印刷層５の印刷模様を視認することができるので、外装容器から取り出した内容物の商品性を高めることができる。このような識別層３Ｂの透明性を確保するためには、当該識別層の厚みを２０μｍ程度に設定することが好ましい。
【００２２】
なお、この識別層３Ｂは、図１で示した識別ラベルＡの識別層３Ａとして使用してもよい。
また、図１で示した識別ラベルＡにおいて、基材として透明な基材を用い、また識別層３Ａと粘着剤層２も透明にすれば、全体として、肉眼で見たときに透明な識別ラベルにすることができる。とくに、透明度の高いアクリル系粘着剤を使用することにより透明度の高い識別ラベルにすることができる。
【産業上の利用可能性】
【００２３】
この識別ラベルを使用すれば、密封状態で収容される内容物の態様に対応して描画する認識層（印刷記号）を変化させることにより、梱包終了後の外装容器にそのままの状態でＸ線を照射して内容物の有無、種別を確実に検査することができる。
【図面の簡単な説明】
【００２４】
【図１】本発明の識別ラベルの１例Ａを示す断面図である。
【図２】別の例Ｂを示す断面図である。
【図３】更に別の例Ｃを示す断面図である。
【符号の説明】
【００２５】
１            基材
１ａ          基材１の下面
１ｂ          基材１の上面
２            粘着剤層
３Ａ，３Ｂ    識別層
４            内容物
４ａ          内容物の表面
５            印刷層
【図１】
2009157055.tif 000003
【図２】
2009157055.tif 000004
【図３】
2009157055.tif 000005